(57)【要約】      （修正有）【課題】バックライトモジュール及び表示装置を提供する。【解決手段】バックライトモジュール１は、導光板１０、光源２０及び少なくとも１つの光学フィルムを備え、光源２０は導光板１０の入光側面１３の外側に設けられ、光学フィルムは導光板１０の頂部の出光面１１の上方に間隔を置いて設置され、導光板１０の底部の反射面１２には複数の光拡散マイクロ構造１４が形成され、当該表示装置は、当該バックライトモジュール及びディスプレイパネルを備え、ディスプレイパネルは、当該バックライトモジュールの光学フィルムの上方に配置され、導光板の底部の反射面に複数の光拡散マイクロ構造を形成させることにより、出光の角度を変更させて、光を導光板から出射されるときに９０度シフトされた正方向から出射させ、これによってより高い輝度を提供でき、また、光学フィルムの使用数を減少させて、構成を簡略化させる。【選択図】図２
0003214997.tif 000002
【実用新案登録請求の範囲】
【請求項１】
バックライトモジュールであって、
出光面、反射面、入光側面及び複数の光拡散マイクロ構造を備え、前記出光面と前記反射面がそれぞれ前記導光板の上側と下側に位置し、前記入光側面が前記導光板の側辺に位置し、前記複数の光拡散マイクロ構造は前記反射面に形成され、各光拡散マイクロ構造は光学ベース部と光学側部とを備え、前記光学ベース部は第１の光学面と第２の光学面とを備え、前記第１の光学面は、前記入光側面に対向し、前記第２の光学面は前記入光側面の対向側に対向し、前記第１の光学面と前記第２の光学面は、傾斜方向が異なる傾斜面であって非対称形状に形成され、前記光学側部はそれぞれ、前記光学ベース部の両側に位置し、前記第１の光学面は、前記反射面に対して第１の夾角をなし、前記第２の光学面は、前記反射面に対して第２の夾角をなし、前記第１の夾角と前記第２の夾角は鋭角であって、且つ前記第１の夾角は前記第２の夾角より大きい、導光板と、
前記導光板の入光側面の外側に設置され、且つ出光方向が前記導光板の入光側面に向かっている光源と、
前記導光板の出光面の上方に間隔を置いて設置される少なくとも１つの光学フィルムと、
を備える、バックライトモジュール。
【請求項２】
前記導光板の出光面に間隔保護膜が設置されることにより、前記光学フィルムが前記導光板の出光面の上方に間隔を置いて設置される
請求項１に記載のバックライトモジュール。
【請求項３】
前記間隔保護膜は、上面と下面にそれぞれ複数の凸点が形成されている
請求項２に記載のバックライトモジュール。
【請求項４】
前記少なくとも１つの光学フィルムは、上下に積層される光学フィルムを備え、前記光学フィルムは、下から上の方へそれぞれ第１のプリズムシート、第２のプリズムシート及び上拡散膜であり、前記間隔保護膜は、前記導光板の出光面と前記第１のプリズムシートの間に設けられている
請求項２又は３に記載のバックライトモジュール。
【請求項５】
前記光学側部はそれぞれ、第１の光学面ユニットと第２の光学面ユニットとを備え、前記第１の光学面ユニットと前記第２の光学面ユニットは、傾斜方向が異なる光学面であり、前記第１の光学面ユニットは、前記第１の光学面及び前記反射面に接続され、前記第２の光学面ユニットは、前記第２の光学面及び前記反射面に接続されている
請求項１〜４のいずれか１項に記載のバックライトモジュール。
【請求項６】
前記光拡散マイクロ構造は、前記反射面から突出される凸状体又は前記反射面へ窪む凹面である
請求項１〜５のいずれか１項に記載のバックライトモジュール。
【請求項７】
前記導光板の前記出光面に、複数の出光マイクロ構造が形成されている
請求項１〜６のいずれか１項に記載のバックライトモジュール。
【請求項８】
表示装置であって、
請求項１〜７のいずれか１項に記載のバックライトモジュール、及び
前記バックライトモジュールの前記光学フィルムの上方に設置されるディスプレイパネルを備える
表示装置。
【考案の詳細な説明】
【技術分野】
【０００１】
本考案は、バックライトソースを提供するバックライトモジュール及び当該バックライトモジュールを備える表示装置に関する。
【背景技術】
【０００２】
液晶ディスプレイ（Ｌｉｑｕｉｄ  Ｃｒｙｓｔａｌ  Ｄｉｓｐｌａｙ、ＬＣＤ）等の従来の表示装置は、主にバックライトモジュール（Ｂａｃｋｌｉｇｈｔ  Ｕｎｉｔ、ＢＬＵ）を用いてディスプレイパネルにバックライトソースを提供し、図７に示すように、従来のバックライトモジュール６０の構成として、主に、導光板（Ｌｉｇｈｔ  Ｇｕｉｄｅ  Ｐｌａｔｅ）６１、光源７０及び光学フィルム群８０が含まれ、当該導光板６１は、上側と下側がそれぞれ出光面６２と反射面６３になり、且つ導光板６１の一側端が入光側面６４になり、当該光源７０は当該導光板６１の入光側面６４に設置され、前記光学フィルム群８０は当該導光板６１の出光面６２の上方に設けられ且つディスプレイパネル（未図示）の下方に位置し、当該光学フィルム群８０は、下拡散膜８１、下プリズムシート８２、上プリズムシート８３及び上拡散膜８４を含む。
【０００３】
上記バックライトモジュール６０は、光源７０から発光される光を導光板６１の入光側面６４から導光板６１の内部に入射させて、導光板６１の全反射機能により、入射された光を導光板６１の遠端方向へ伝送させ、光が前方へ伝送される過程において、反射面６３に複数のマイクロ構造を設置することで、反射面６３で光によって発生される全反射機能を破壊し、異なる反射角度を発生させた後に、光源７０から発光される光を導光板６１の出光面６２を透過させて放出させ、続いて、当該光学フィルム群８０の下拡散膜８１、下プリズムシート８２、上プリズムシート８３及び上拡散膜８４等により光散乱作用と輝度向上作用を果たし、これによって、ディスプレイパネルに均一な輝度のバックライトソースを提供する。
【０００４】
しかしながら、上記の従来のバックライトモジュールにおいて、従来の導光板構造によると、比較的優れた光拡散の均一化や輝度等の光学的特性を実現できず、図７に示すように、光が導光板６１の出光面６２から離れるときに、光が９０度シフトされて正方向から出射されるため、光を徐々に正方向へ９０度シフトさせて出射させるとともに輝度を向上させるために、当該光学フィルム群８０の下拡散膜８１、下プリズムシート８２、上プリズムシート８３及び上拡散膜８４等の多層型光学フィルムを利用して補助的な光拡散分散作用と輝度向上作用を提供する必要があり、そのため、従来のバックライトモジュール６０において、複数の光学フィルムを備える光学フィルム群８０は、該導光板６１に対して、不可欠なものである。
【０００５】
以上、下プリズムシートと導光板の出光面との間に位置する下拡散膜と、上プリズムシートの上方に位置する上拡散膜は、設置位置によって光学的特性が異なる。例えば、下拡散膜は、導光板の出光面に接近するため、光透過性が比較的高く、光散乱性が高くないのに対して、上拡散膜には、比較的高い拡散性が要求され、また、上プリズムシートのパターンを除去し、上プリズムシートを保護する必要がある。下拡散膜は、比較的高い光透過性が求められ、また光散乱性が高くないため、バックライトモジュールを設計するときに省略されてもよいが、導光板の出光面の上方に位置する下拡散膜を直接省略すると、下プリズムシートと導光板による光吸収の問題が引き起こされ、バックライトモジュールの光学的特性に不利な影響を与える。そのため、現段階のバックライトモジュールのデザインにおいて、当該４枚型の光学フィルム群の構成を簡略化し難い問題がある。
【考案の概要】
【考案が解決しようとする課題】
【０００６】
本考案の主な目的は、バックライトモジュール及び表示装置を提供して、従来のバックライトモジュールにおいて、当該４枚型の光学フィルム群の構成を簡略化し難い問題を解決することにある。
【考案を解決するための手段】
【０００７】
上記目的を達成させるために、本考案で提供するバックライトモジュールは、
出光面、反射面、入光側面及び複数の光拡散マイクロ構造を備え、前記出光面と前記反射面がそれぞれ前記導光板の上側と下側に位置し、前記入光側面が前記導光板の側辺に位置し、前記複数の光拡散マイクロ構造は前記反射面に形成され、各光拡散マイクロ構造は光学ベース部と光学側部とを備え、前記光学ベース部は第１の光学面と第２の光学面とを備え、前記第１の光学面は、前記入光側面に対向し、前記第２の光学面は前記入光側面の対向側に対向し、前記第１の光学面と前記第２の光学面は、傾斜方向が異なる傾斜面であって非対称形状に形成され、前記光学側部はそれぞれ、前記光学ベース部の両側に位置し、前記第１の光学面は、前記反射面に対して第１の夾角をなし、前記第２の光学面は、前記反射面に対して第２の夾角をなし、前記第１の夾角と前記第２の夾角は鋭角であって、且つ前記第１の夾角は前記第２の夾角より大きい、導光板と、
前記導光板の入光側面の外側に設置され、且つ出光方向が前記導光板の入光側面に向かっている光源と、
前記導光板の出光面の上方に間隔を置いて設置される少なくとも１つの光学フィルムと、を備える。
【０００８】
上記の導光板において、前記導光板の出光面に間隔保護膜が設置されることにより、前記光学フィルムが前記導光板の出光面の上方に間隔を置いて設置される。
【０００９】
上記の導光板において、前記少なくとも１つの光学フィルムは、上下に積層される光学フィルムを備え、前記光学フィルムは、下から上の方へそれぞれ第１のプリズムシート、第２のプリズムシート及び上拡散膜であり、前記間隔保護膜は、前記導光板の出光面と前記第１のプリズムシートの間に設けられている。
【００１０】
上記の導光板において、前記間隔保護膜は、上面と下面にそれぞれ複数の凸点が形成されている。
【００１１】
上記の導光板において、前記光学側部はそれぞれ、第１の光学面ユニットと第２の光学面ユニットとを備え、前記第１の光学面ユニットと前記第２の光学面ユニットは、傾斜方向が異なる光学面であり、前記第１の光学面ユニットは、前記第１の光学面及び前記反射面に接続され、前記第２の光学面ユニットは、前記第２の光学面及び前記反射面に接続されている。
【００１２】
上記の導光板において、前記光拡散マイクロ構造は、前記反射面から突出される凸状体又は前記反射面へ窪む凹面である。
【００１３】
上記の導光板において、前記導光板の前記出光面に、複数の出光マイクロ構造が形成されている。
【００１４】
上記の目的を達成させるために、本考案で提供する表示装置は、上記のバックライトモジュール、及び前記バックライトモジュールの前記光学フィルムの上方に設置されるディスプレイパネルを備える。
【考案の効果】
【００１５】
上記のバックライトモジュールによれば、主に導光板の下側に位置する反射面に複数の光拡散マイクロ構造を形成させることと、前記光拡散マイクロ構造の光学ベース部における入光側面に対向する第１の光学面と入光側面の対向側に対向する第２の光学面とを傾斜方向が異なる斜面にし且つ非対称形状に形成させることと、第１の光学面を第２の光学面よりも高い傾斜度にすることと、によって、導光板内部に入射される光を、光全反射作用により入光側面から対向側の遠端方向へ伝送させ、また、反射面に位置する複数の光拡散マイクロ構造を利用して出光の角度をシフトさせて、従来技術に比べて、方向が９０度シフトされている正方向へ発光させて、より高い輝度を提供できる。本考案に係るバックライトモジュールと組み合わせることで、少なくとも従来のバックライトモジュールの下拡散膜を省略できるため、構成を簡略化できる。
【００１６】
本考案のバックライトモジュールはさらに、導光板の出光面と光学フィルムを保護するために、導光板の出光面とその上方の光学フィルムとの間に間隔保護膜を増設してもよい。
【図面の簡単な説明】
【００１７】
【図１】本考案に係るバックライトモジュールの好ましい実施例の側面模式図である。
【図２】本考案に係るバックライトモジュールが複数の光学フィルムを備える別の好ましい実施例の側面模式図である。
【図３】図１、図２に示すバックライトモジュールにおける導光板の部分底面斜視模式図である。
【図４】本考案に係るバックライトモジュールの別の好ましい実施例の側面模式図である。
【図５】図２、図４に示すバックライトモジュールの間隔保護膜の部分側面模式図である。
【図６】本考案の表示装置の好ましい実施例の側面模式図である。
【図７】従来のバックライトモジュールの側面模式図である。
【考案を実施するための形態】
【００１８】
本考案は、バックライトモジュール及び当該バックライトモジュールを備える表示装置を含み、図１、図２及び図４に示すように、前記バックライトモジュールの複数の好ましい実施例を開示し、前記バックライトモジュール１は、導光板１０、光源２０及び少なくとも１つの光学フィルム３０を備える。
【００１９】
図１又は図２に示すように、前記導光板１０は、出光面１１、反射面１２、入光側面１３及び複数の光拡散マイクロ構造１４を含み、当該出光面１１と当該反射面１２はそれぞれ当該導光板の上側と下側に位置し、当該入光側面１３は、当該導光板１０の側辺に位置し、当該複数の光拡散マイクロ構造１４は、当該反射面１２に形成されている。
【００２０】
図１に示すように、前記光拡散マイクロ構造１４は、当該反射面１２から突出される凸状体であってもよく、又は図４に示すように、前記光拡散マイクロ構造１４Ａは、当該反射面１２へ窪む凹面であってもよい。図１、図３及び図４に示すように、各光拡散マイクロ構造１４、１４Ａは、光学ベース部１５及び光学側部１６を含み、当該光学ベース部１５は、第１の光学面１５１と、第２の光学面１５２と、を備え、当該第１の光学面１５１は当該入光側面１３に対向し、第２の光学面１５２は当該入光側面１３の対向側に対向し、当該第１の光学面１５１と該第２の光学面１５２とは、傾斜方向が異なる斜面であって、非対称形状に形成されており、当該光学側部１６はそれぞれ当該光学ベース部１５の両側に位置し、当該第１の光学面１５１は当該反射面１２に対して第１の夾角θ１をなし、当該第２の光学面１５２は該反射面１２に対して第２の夾角θ２をなし、当該第１の夾角θ１と当該第２の夾角θ２はすべて鋭角であって、当該第１の夾角θ１は、当該第２の夾角θ２より大きい。
【００２１】
図３に示すように、前記光学側部１６はそれぞれ、第１の光学面ユニット１６１と第２の光学面ユニット１６２とを含み、前記第１の光学面ユニット１６１と前記第２の光学面ユニット１６２とは、傾斜方向が異なる光学面であり、前記第１の光学面ユニット１６１は、当該第１の光学面１５１及び当該反射面１２に接続され、前記第２の光学面ユニット１６２は、当該第２の光学面１５２及び該反射面１２に接続されている。
【００２２】
上記の導光板において、当該出光面１１には更に、複数の出光マイクロ構造（未図示）が形成されてもよく、当該複数の出光マイクロ構造は、当該入光側面１３に実質的に直交する方向へ延伸し、さらに、当該出光面１１に設置される複数の出光マイクロ構造によって、導光板の光学的なトレンドを調整して、導光板を透過した光の出射の均一性を向上させる。前記出光マイクロ構造は、出光面１１から突出される凸部、又は入出光面へ窪む凹面として形成でき、前記複数の出光マイクロ構造の形状、寸法及び出光面１１での設置方式等は、光源との距離の大きさ、又は異なる製品の光学的特性のニーズ等に応じて変更されてもよい。
【００２３】
図１と、図２又は図４とに示すように、前記光源２０は、当該導光板１０の入光側面１３の外側に設置され、且つ当該光源２０の出光方向が当該導光板１０の入光側面１３に向かっていることにより、当該光源２０から発光される光を、当該導光板１０の入光側面１３へ入射させ、導光板１０の内部の全反射によって入光側面１３の対向側の遠端へ伝送できる。光が前方へ伝送される過程において、反射面１２に形成されている複数の光拡散マイクロ構造１４、１４Ａと組み合わせることによって、光が出光面１１から離れるときに出光の角度を変更でき、従来技術に比べて、方向が９０度シフトされている正方向へ発光させて、より高い輝度を提供できる。
【００２４】
図１と、図２又は図４とに示すように、前記少なくとも１つの光学フィルム３０は間隔を置いて当該導光板１０の出光面１１の上方に設置される。図２又は図４に示すように、この好ましい実施例において、当該導光板１０の出光面１１の上方にはさらに、透明材質の間隔保護膜４０が設置されて、前記少なくとも１つの光学フィルム３０を当該導光板１０の出光面１１の上方に間隔を置いて設置でき、当該導光板１０の出光面１１及び前記光学フィルムを保護できる。図５と、図２又は図４とに示すように、前記間隔保護膜４０の上面、下面には更に、それぞれ複数の凸点４１、４２が形成されてもよく、前記間隔保護膜４０の上面、下面の複数の凸点４１、４２によって、導光板１０の出光面１１との摩擦、及び前記光学フィルム３０との摩擦を減少できる。
【００２５】
図２又は図４に示す好ましい実施例において、前記少なくとも１つの光学フィルムは複数の光学フィルムの組合せであり、それは、上下に積層される光学フィルムを含み、当該光学フィルムは、下から上の方へそれぞれ第１のプリズムシート３１、第２のプリズムシート３２及び上拡散膜３３であり、当該間隔保護膜４０は、当該導光板１０の出光面１１と当該第１のプリズムシート３１との間に設置される。これにより、導光板１０の出光面１１から発光される光を拡散させて輝度を向上でき、均一な輝度のバックライトソースを提供できる。
【００２６】
本考案のバックライトモジュールはさらに、表示装置に適用でき、図６に示すように、本考案の表示装置の好ましい実施例を開示し、当該表示装置は、バックライトモジュール１及びディスプレイパネル２を備え、当該バックライトモジュール１の構成は上記の通りであり、当該ディスプレイパネル２は液晶ディスプレイパネルであって、前記少なくとも１つの光学フィルム３０の上方に設置されてもよく、この好ましい実施例において、ディスプレイパネル２は上拡散膜３３の上方に設けられ、バックライトモジュール１によってディスプレイパネル２に必要なバックライトソースを提供する。
【００２７】
上記バックライトモジュール及び表示装置の構造によれば、図２及び図６に示すように、光源から発行される光は、導光板１０の入光側面１３へ入射され、次に、光源２０から発光される光が導光板１０の入光側面１３を透過して導光板１０の内部に入射されるときに、導光板１０による光の全反射特性を利用して、光が導光板１０において入光側面１３の対向側の遠端へ伝送できるようにし、そのうち、光が導光板１０の内部で伝送される過程において、反射面１２に位置する複数の光拡散マイクロ構造１４と、前記光拡散マイクロ構造１４の光学ベース部１５における入光側面１３に対向する第１の光学面１５１と入光側面１３の対向側に対向する第２の光学面１５２とを傾斜方向が異なる斜面にし且つ非対称形状に形成させることと、第１の光学面１５１を第２の光学面１５２よりも高い傾斜度にすることと、によって、複数の光拡散マイクロ構造１４の反射面から反射された光の出光の角度を変更させて、光を導光板１０の出光面１１から出射させる。これにより、従来技術に比べて、方向が９０度シフトされている正方向へ発光させて、より高い輝度を提供できる。また、従来のバックライトモジュールの下拡散膜を省略できるため、その構成を簡略化できる。
【００２８】
次に、従来のバックライトモジュールの下拡散膜の代わりに、間隔保護膜４０を利用することにより、導光板１０の出光面１１から発光される光を、光透過材質の間隔保護膜４０、第１のプリズムシート３１、第２のプリズムシート３２及び上拡散膜３３を通過させて、光の輝度と出光の均一性を向上でき、ディスプレイパネル２により高い輝度と均一性を有するバックライトソースを提供できる。
【００２９】
以上は本考案の好ましい実施例に過ぎず、本考案をいずれかの形態で限定するものではない。本考案は、上記のように好ましい実施例を開示したが、本考案を限定するものではなく、当業者が本考案の技術的な内容を脱逸しない範囲内で、上記に記載の技術的な内容に基づいて変化又は修飾を行って取得した同等の実施例は、本考案の技術的な内容の範囲に属し、また、本考案に係る技術的手段の内容を脱逸しない範囲内で、本考案の技術的な内容に基づいて、上記の好ましい実施例に対して実質的に行われる簡単な修正や等同変化、修飾はいずれも、本考案の技術的な内容の範囲に属する。
【符号説明】
【００３０】
１  バックライトモジュール                  ２  ディスプレイパネル
１０  導光板                                １１  出光面
１２  反射面                                １３  入光側面
１４、１４Ａ  光拡散マイクロ構造
１５  光学ベース部                          １５１  第１の光学面
１５２  第２の光学面                        １６  光学側部
１６１  第１の光学面ユニット                １６２  第２の光学面ユニット
２０  光源
３０  光学フィルム                          ３１  第１のプリズムシート
３２  第２のプリズムシート                  ３３  上拡散膜
４０  間隔保護膜                            ４１、４２  凸点
６０  バックライトモジュール                ６１  導光板
６２  出光面                                ６３  反射面
６４  入光側面
７０  光源
８０  光学フィルム群                        ８１  下拡散膜
８２  下プリズムシート                      ８３  上プリズムシート
８４  上拡散膜
【図１】
0003214997.tif 000003
【図２】
0003214997.tif 000004
【図３】
0003214997.tif 000005
【図４】
0003214997.tif 000006
【図５】
0003214997.tif 000007
【図６】
0003214997.tif 000008
【図７】
0003214997.tif 000009
【手続補正書】
【提出日】平成29年12月15日(2017.12.15)
【手続補正１】
【補正対象書類名】実用新案登録請求の範囲
【補正対象項目名】請求項１
【補正方法】変更
【補正の内容】
【請求項１】
バックライトモジュールであって、
出光面、反射面、入光側面及び複数の光拡散マイクロ構造を備え、前記出光面と前記反射面がそれぞれ導光板の上側と下側に位置し、前記入光側面が前記導光板の側辺に位置し、前記複数の光拡散マイクロ構造は前記反射面に形成され、各光拡散マイクロ構造は光学ベース部と光学側部とを備え、前記光学ベース部は第１の光学面と第２の光学面とを備え、前記第１の光学面は、前記入光側面に対向し、前記第２の光学面は前記入光側面の対向側に対向し、前記第１の光学面と前記第２の光学面は、傾斜方向が異なる傾斜面であって非対称形状に形成され、前記光学側部はそれぞれ、前記光学ベース部の両側に位置し、前記第１の光学面は、前記反射面に対して第１の夾角をなし、前記第２の光学面は、前記反射面に対して第２の夾角をなし、前記第１の夾角と前記第２の夾角は鋭角であって、且つ前記第１の夾角は前記第２の夾角より大きい、導光板と、
前記導光板の入光側面の外側に設置され、且つ出光方向が前記導光板の入光側面に向かっている光源と、
前記導光板の出光面の上方に間隔を置いて設置される少なくとも１つの光学フィルムと、
を備える、バックライトモジュール。